(57)【要約】      （修正有）【課題】不正な開封を確実に防止できる注出栓を提案する。【解決手段】容器の口頚部に固定保持されるベースキャップ１にヒンジを介し着脱自在に係合して注出口を閉塞する蓋体７とを備えた注出栓において、蓋体７の、ヒンジの対向位置の周壁に、上面において起立するリブ状突起８を有し、外方に向けて延出する指掛け片７ｄを設け、ベースキャップ１に、該ベースキャップ１の少なくとも前面側で連結片を介して切り離し可能に配置する帯板９を設け、帯板９に、その上端部に一体連結し、該帯板９と協働して該ベースキャップ１との相互間に下向きに開放された凹所Ｎを形成する垂下壁１１を形成し、この垂下壁１１に、蓋体７を閉じる際の該指掛け片７ｄの強制的な乗り越えと押し込みにより凹所Ｎ内へ傾倒させてリブ状突起８との間で垂下壁１１を挟持し、かつ、蓋体７を垂下壁１１を介して帯板９に離脱不能に抜け止め保持する係止舌片１２を設ける。【選択図】図６
2014234167.tif 000002
【特許請求の範囲】
【請求項１】
容器の内部につながる注出口を有し、該容器の口頚部に固定保持されるベースキャップと、このベースキャップにヒンジを介して開閉可能につながり、該ベースキャップに着脱自在に係合して前記注出口を閉塞する蓋体とを備えた注出栓であって、
前記蓋体の、前記ヒンジの対向位置の周壁に、上面において起立するリブ状突起を有し、外方に向けて延出する指掛け片を設け、
前記ベースキャップに、該ベースキャップの少なくとも前面側で連結片を介して切り離し可能に配置する帯板を設け、
前記帯板に、その上端部に一体連結し、該帯板と協働して該ベースキャップとの相互間に下向きに開放された凹所を形成する垂下壁を形成し、
前記垂下壁に、前記蓋体を閉じる際の該指掛け片の強制的な乗り越えと押し込みにより該凹所内へ傾倒させて前記リブ状突起との間で該垂下壁を挟持し、かつ、該蓋体を該垂下壁を介して該帯板に離脱不能に抜け止め保持する係止舌片を設けたことを特徴とする不正開封防止機能を備えた注出栓。
【請求項２】
前記垂下壁は、初期形状への復元を可能とする弾性部材よりなることを特徴とする請求項１に記載した不正開封防止機能を備えた注出栓。
【請求項３】
前記リブ状突起は、前記指掛け片の上面とのなす角度が鋭角になる傾斜側壁を有することを特徴とする請求項１または２に記載した不正開封防止機能を備えた注出栓。
【発明の詳細な説明】
【技術分野】
【０００１】
本発明は、容器の口頚部に装着される注出栓に関するものであり、該注出栓の不正な開封を確実に防止しようとするものである。
【背景技術】
【０００２】
近年、ソースや食用油、醤油、飲料等を入れる容器には、商品の流通段階での容器の不正な開封を防ぐため、蓋体が開けられたかどうか目視でもって簡単に見分けることができる封減式の注出栓が多用されている。
【０００３】
この点に関する先行技術として、例えば、特許文献１には、キャップ本体周壁の少なくとも前面上部に複数の破断子を介して覆合帯板を起立させるとともに、該覆合帯板前部の下部に下面開口の凹部を設けて、蓋板周壁の前部下端に付設した蓋板開閉操作用の指掛け片を、蓋板閉塞の際に覆合帯板の前部後面を強制乗越えて凹部の上面へ離脱不能に係合させるようにした構造のものが知られている。
【先行技術文献】
【特許文献】
【０００４】
【特許文献１】実開平４-６０８６６号公報
【発明の開示】
【発明が解決しようとする課題】
【０００５】
上記従来の注出栓は、破断子を起点にして覆合帯板を引きちぎることにより初めて蓋板の開放を可能とするものであり、容器の不正な開封を防止する観点からは極めて有効な手段であるとされていた。
【０００６】
しかしながら、従来のこの種の注出栓では、蓋板をピンセットや指を掛けてゆっくりと持ち上げる等の動作が加えられた場合に、覆合帯板を引きちぎることなしにその係合状態を解除できることがあり、不正な開封が行われたとしてもその判別を確認するのが難しい状況にあった。
【０００７】
本発明の課題は、上記従来の不具合を確実に解消できる不正開封防止機能を備えた注出栓を提案するところにある。
【課題を解決するための手段】
【０００８】
本発明は、容器の内部につながる注出口を有し、該容器の口頚部に固定保持されるベースキャップと、このベースキャップにヒンジを介して開閉可能につながり、該ベースキャップに着脱自在に係合して前記注出口を閉塞する蓋体とを備えた注出栓であって、前記蓋体の、前記ヒンジの対向位置の周壁に、上面において起立するリブ状突起を有し、外方に向けて延出する指掛け片を設け、前記ベースキャップに、該ベースキャップの少なくとも前面側で連結片を介して切り離し可能に配置する帯板を設け、前記帯板に、その上端部に一体連結し、該帯板と協働して該ベースキャップとの相互間に下向きに開放された凹所を形成する垂下壁を形成し、前記垂下壁に、前記蓋体を閉じる際の該指掛け片の強制的な乗り越えにより該凹所内へ傾倒させて前記リブ状突起との間で該垂下壁を挟持し、かつ、該蓋体を該垂下壁を介して該帯板に離脱不能に抜け止め保持する係止舌片を設けたことを特徴とする不正開封防止機能を備えた注出栓である。
【０００９】
上記の構成からなる注出栓においては、垂下壁を、初期形状への復元を可能とする弾性部材よりなるもので構成すること、また、リブ状突起の側壁は、指掛け片の上面とのなす角度が鋭角になる傾斜側壁としておくこと、が課題解決のための具体的手段として好ましい。
【発明の効果】
【００１０】
上記の構成からなる本発明の注出栓によれば、ベースキャップと、このベースキャップにヒンジを介して開閉可能につながる蓋体とを備えた注出栓において、蓋体を、ヒンジの対向位置の周壁に、外方に向けて延出する指掛け片を有するものとして、該指掛け片にその上面において起立するリブ状突起を設けること、また、ベースキャップに、該ベースキャップの少なくとも前面側で連結片を介して切り離し可能に配置する帯板を設けること、そして、帯板に、その上端部に一体連結し、該帯板と協働して該ベースキャップとの相互間に下向きに開放された凹所を形成する垂下壁を形成し、該垂下壁に、前記蓋体を閉じる際の該指掛け片の強制的な乗り越えにより該凹所内へ傾倒させて前記リブ状突起との間で該垂下壁を挟持し、かつ、該蓋体を該垂下壁を介して該帯板に離脱不能に抜け止め保持する係止舌片を設けるようにしたため、不正な開封動作が加えられても、帯板は変形しにくくなることから、垂下壁が、係止舌片とリブ状突起との間から簡単に抜け出すことはなく、帯板を切り離さない限り蓋体を開放することができない。
【００１１】
また、本発明の注出栓によれば、垂下壁を、初期形状への復元を可能とする弾性部材よりなるもので構成したため、蓋体を帯板に離脱不能に抜け止め保持する際に、帯板の破断を引き起こすことなしに係止舌片を凹所内へ傾倒させることができる。
【００１２】
また、本発明の注出栓によれば、リブ状突起の側壁を、指掛け片の上面とのなす角度が鋭角になる傾斜側壁としたため、垂下壁のみを単独で引き上げようとしても、該垂下壁が傾斜側壁に接触しそれが引き上げ抵抗になることから、該垂下壁を無理やり引き上げた場合に帯板がベースキャップから切り離されてしまい、不正な開封が行われたかどうか一目で把握できる。
【図面の簡単な説明】
【００１３】
【図１】本発明に従う注出栓の実施の形態を、平面について示した図である。
【図２】図１に示した注出栓の側面を示した図である。
【図３】図１に示した注出栓の底面を示した図である。
【図４】本発明に従う注出栓の側面を断面で示した図である。
【図５】図１のＡ−Ａ断面を示した図である。
【図６】図１に示した注出栓において、係止舌片とリブ状突起により垂下壁を挟持し、かつ、蓋体を垂下壁を介して帯板に離脱不能に抜け止め保持した状態を示した図である。
【図７】蓋体を帯板に離脱不能に抜け止め保持する要領を説明した図である。
【図８】蓋体を帯板に離脱不能に抜け止め保持する要領を説明した図である。
【図９】本発明に従う注出栓の他の実施の形態を示した図である。
【発明を実施するための最良の形態】
【００１４】
以下、図面を参照して本発明をより具体的に説明する。
図１〜図３は、本発明に従う注出栓の実施の形態を、プルトップタイプの注出栓を例として模式的に示した図であり、図１は、その平面図、図２は、その側面図、そして図３は、その底面図である。
【００１５】
また、図４は、本発明に従う注出栓の側面を断面で示した図であり、図５は、図１のＡ−Ａ断面を示した図であり、図６は、不正開封防止機能を発揮させることができる組み付け完了後の状態（不正な開封ができない状態）を要部の断面について示した図である。本発明において、ベースキャップの前面側とは、蓋体をつなぐヒンジが設けられた対向位置側をいうものとし、ヒンジが設けられ側をベースキャップの後面側ということとする。なお、この注出栓は、一般的には、合成樹脂を射出成形することによって製造される。
【００１６】
図１〜６における符号１は、注出栓の主要構成部材をなすベースキャップである。このベースキャップ１は、容器の口部を閉塞する障壁板１ａと、この障壁板１ａの縁部に一体的につながり、下向きに開放された環状溝ｍを形成する内筒１ｂ、外筒１ｃからなる内外二重の筒体と、障壁板１ａの上面部において起立姿勢で一体的につながるリップ付きの注出筒１ｄと、外筒１ｃを全周にわたって取り囲む環状帯１ｅから構成されている。注出筒１ｄは、内容物のスムーズな注出を可能とするため、その周壁は、ベースキャップ１の前面側に向けて尖った先細り平面形状をなしており、ベースキャップ１の後面側の高さが前面側の高さよりも低くなっている。
【００１７】
上記ベースキャップ１は、打栓により環状溝ｍに容器の口頚部先端（図示せず）を嵌合（アンダーカットによる嵌合等）させることによって固定保持される。また、環状帯１ｅは、外筒１ｃの拡径を抑制する箍として機能するものであって、これによりベースキャップ１の容器の口頚部に対する嵌合力を高めている。
【００１８】
なお、外筒１ｃと環状帯１ｅとは、その下端部の周方向に沿って設けられた複数の薄肉連結片１ｆによって切り離し可能に連結されており、ベースキャップ１の前面側に設けられた少なくとも１つの厚肉連結片１ｇによって切り離し不能に連結されたものを例として示したが、注出栓のタイプによっては環状帯１ｅを省略することも可能であり、図示のものには限定されない。
【００１９】
また、２は、障壁板１ａに設けられた破断予定線である。この破断予定線２は、注出筒１ｄの内壁直下の障壁板１ａにおいて該内壁に沿うように線状の切込みを入れ、その部位を局所的に薄肉にして形成されたものであり、ベースキャップ１の前面側に向けて先細りになる、略三角状の平面形状をなしている。
【００２０】
３は、破断予定線２の内側で、かつ、ベースキャップ１の後面側において障壁板１ａに一体連結する支柱、４は、支柱３の上端部に一体連結したプルリングである。
【００２１】
プルリング４の下縁には、指を掛けたときにソフトな感触を付与するための緩衝片（薄肉片）４ａが設けられている。
【００２２】
プルリング４に指を掛けて支柱３を通して障壁板１ａを引っ張り上げると、該障壁板１ａは、破断予定線２に沿って引き千切られ、その部位には内容物を注出するための注出口が形成される。
【００２３】
また、５は、障壁板１ａの中央部に設けられた半円状の平面形状を有する凹部、６は、障壁板１ａの前面側に設けられた三角状の平面形状を有する凹部である。凹部５は、プルリング４に指を掛けるとき、該プルリング４内に指を挿入し易くするために設けられるものであり、また、凹部６は、障壁板１ａを破断予定線２に沿って引きちぎる際に、引きちぎりにかかる力を破断予定線２に集中させるためのものであって、該凹部６により障壁板１ａを小さな力でスムーズに引きちぎることができるようになっている。
【００２４】
また、７は、ベースキャップ１の後面側で環状帯１ｅの上端部にヒンジｈを介して開閉可能につながる蓋体である。この蓋体７は、環状の周壁７ａと、この周壁７ａの上端に一体連結してその内側に注出筒１ｄの収納空間を形成する天板７ｂと、この天板７ｂの裏面に垂下、保持され、蓋体７を閉じたとき注出筒１ｄの内壁面に嵌り込む内筒７ｃ（注出出筒１ｄと同一形状で、密閉状態を保つ機能を有する）から構成されている。蓋体７の周壁７ａの内側下部には、外筒１ｃの外側壁の上部に設けられた環状の凹部１ｃ１に着脱自在に係合（アンダーカットによる係合）する環状の凸部７ａ１が形成されていて、ヒンジｈを支点に蓋体７を回動させ、ベースキャップ１の環状体１ｅの上端面１ｅ１に周壁７ａの下端が合わさると同時に該凸部７ａ１が該環状の凹部１ｃ１に係合して注出筒１ｄの内側に形成された注出口が密閉される。
【００２５】
ヒンジｈの対向位置（ベースキャップ１の前面側）の、周壁７ａの外表面下部には、外方に向けて延出し、その上面が平坦になる指掛け片７ｄが設けられている。この指掛け片７ｄは、蓋体７の容易な開閉を行うために設けられるものであって、少なくとも指掛け片７ｄの上方近傍の周壁７ａには、該周壁７ａの周りに沿う向きに延びる薄肉部を設けることが可能であり、該薄肉部を設けることで、そこを起点に弾性変形させて蓋体７を開放し易くすることができる。
【００２６】
また、８は、指掛け片７ｄの上面で周壁７ａに沿って配置されるリブ状突起、９は、ベースキャップ１に、その前面側の外表面で連結片１０を介して切り離し可能に保持される帯板、１１は、帯板９の上端部に一体連結し、該帯板９と協働して下向きに開放された凹所Ｎ（図４参照）を形成する垂下壁である。
【００２７】
帯板９は、ベースキャップ１の前側半分を覆うものを例として示したが、ヒンジｈに至るまで伸びた環状体にて構成することも可能であり、図示のものに限定されない。また、垂下壁１１は、初期形状への復元を可能とする弾性部材にて構成されており、少なくとも指掛け片７ｄを超える幅を有している。
【００２８】
また、１２は、垂下壁１１の下端に設けられた係止舌片である。この係止舌片１２は、肉厚になる舌片本体１２ａと、この舌片本体１２ａの上端と垂下壁１１の下端とを一体連結して該舌片本体１２ａを垂下壁１１の下端に吊り下げ保持し、そこを起点折り曲げることによって該舌片本体１２ａを傾倒させる薄肉の連結片１２ｂから構成されている。
【００２９】
係止舌片１２は、蓋体７を閉じる際の指掛け片７ｄの強制的な乗越えと、その際の押し込みによって舌片本体１２ａが凹所Ｎ内へと傾倒するものであって、傾倒した舌片本体１２ａとリブ状突起８との間で垂下壁１１を挟持し、かつ、蓋体７を垂下壁１１を介して帯板９に抜け止め保持するようになっている。
【００３０】
図６は、蓋体７を垂下壁１１を介して帯板９に抜け止め保持した状態、すなわち、不正開封防止機能を発揮させた状態を示した図である。
【００３１】
上記の構成からなる注出栓において、不正開封防止機能を発揮させるよう組み付けるには、図７に示すように、蓋体７をベースキャップ１の上端面に向けて倒し込んでいけばよい。そうすると、指掛け片７ｄは図８に示すように、垂下壁１１に接触し該垂下壁１１を変形させながら係止舌片１２を乗り越えていくことになる。そして、指掛け片７ｄが係止舌片１２の下側に到達したとき、係止舌片１２の舌片本体１２ａは、指掛け片７ｄの上面にて押圧され、連結片１２ｂを起点にして折り曲げられ、帯板９に向けて傾倒していく。該蓋体７がベースキャップ１に合わさると、該舌片本体１２ａは、上掲図６に示した如く、凹所Ｎ内へ完全に押し込まれ、指掛け片７ｄの上面で水平に保持される。
【００３２】
この状態で垂下壁１１は、舌片本体１２ａとリブ状突起８により挟持され、蓋体７は該垂下壁１１を介して帯板９に離脱不能に抜け止め保持される。また、帯板９については、該舌片本体１２ａにより連結片１０が破断しない程度でもって外方へ向けて押圧されことになり、部材相互におけるガタツキはなくなる。
【００３３】
本発明に従う注出栓は、不正開封防止機能を発揮させた状態では、ピンセットを使ったり指を使って蓋体７をゆっくりと持ち上げる等の不正な動作により蓋体７を開けようとしても垂下壁１１を引き抜くのは困難であり、連結片１０を引きちぎって帯板９を取り外さない限り蓋体７を開けることはできず、したがって不正な開封が行われたかどうか一目で視認することができることになる。
【００３４】
係止舌片１２を構成する連結片１２ｂとしては、外力を取り除いた際に初期状態、すなわち、図６に示すような姿勢に復元可能な弾性体にて構成するのが好ましい。というのは、連結片１２ｂを弾性体にて構成すると、舌片本体１２ａが傾倒したとき、該舌片本体１２ａには常に復元力が発生するため、リブ状突起８との相互間で垂下壁１１を挟持するとき、垂下壁１１には、リブ状突起９へ向けて押しやられる力が作用し、挟持力をより一層高めることができるからである。
【００３５】
図９は、本発明に従う注出栓の他の実施の形態を示した図である。この例は、リブ状突起８として、その側壁と指掛け片７ｄの上面とのなす角度θを鋭角とした傾斜側壁８ａを備えたものである。
【００３６】
かかる構造の注出栓においては、蓋体７を閉じたとき、垂下壁１１がリブ状突起８の傾斜側壁８ａに接触するため、蓋体７の抜け止め効果をより一層高めることができる。
【００３７】
なお、図９においては、指掛け片７ｄの上面とのなす角度θが鋭角になる傾斜側壁８ａを備えたものを例として示したが、リブ状突起８の側壁に凹部を設け、この凹部に垂下壁１１の下端部を入れ込む構造等、種々の構造のものを適用することが可能であり、図示のものに限定されることはない。
【００３８】
本発明に従う注出栓は、蓋体７を引き上げて薄肉連結片１ｆを切り離すとともに、厚肉連結片１ｇを介して外筒１ｃを引き上げることにより注出栓そのものを容器の口頚部から簡単に取り外すことが可能であり、容器本体と注出栓を分離して廃棄（分別廃棄）できる利点がある。
【００３９】
また、本発明では、プルトップタイプの注出栓を例として説明したが、障壁板１ａを有しない通常の注出栓に適用することも可能であり、本発明は、プルトップタイプの注出栓のみに限定されない。
【産業上の利用可能性】
【００４０】
本発明によれば、蓋体を帯板に離脱不能に抜け止め保持することができるため、不正な開封を確実に阻止し得る。
【符号の説明】
【００４１】
１      ベースキャップ
１ａ    障壁板
１ｂ    内筒
１ｃ    外筒
１ｃ１    環状の凹部
１ｄ    注出筒
１ｅ    環状帯
１ｅ１    上端面
１ｆ    薄肉連結片
１ｇ    厚肉連結片
２      破断予定線
３      支柱
４      プルリング
４ａ    緩衝片
５      凹部
６      凹部
７      蓋体
７ａ    周壁
７ａ１    凸部
７ｂ    天板
７ｃ    内筒
７ｄ    指掛け片
８      リブ状突起
９      帯板
１０    連結片
１１    垂下壁
１２    係止舌片
１２ａ  舌片本体
１２ｂ  連結片
ｈ      ヒンジ
Ｎ      凹所
【図１】
2014234167.tif 000003
【図２】
2014234167.tif 000004
【図３】
2014234167.tif 000005
【図４】
2014234167.tif 000006
【図５】
2014234167.tif 000007
【図６】
2014234167.tif 000008
【図７】
2014234167.tif 000009
【図８】
2014234167.tif 000010
【図９】
2014234167.tif 000011